【事件の表示】
　平成１１年特許願第２０２８７７号「高級不飽和脂肪酸混合組成物及びこれを含有する食品」拒絶査定不服審判事件〔平成１２年１１月　７日出願公開、特開２０００−３０９５３１〕について、次のとおり審決する。
【結　論】
　本件審判の請求は、成り立たない。
【理　由】
１．手続の経緯  
　本願は，平成１１年７月１６日（パリ条約による優先権主張１９９９年３月１０日、韓国）の出願であって、平成１６年３月２５日付けで拒絶査定がなされ、これに対し同年６月２９日に拒絶査定に対する審判請求がなされたものである。そして、当審において、平成１９年１１月７日付けの最後の拒絶理由通知に対して、平成１９年１２月６日付けで手続補正がなされたものである。
　
２．平成１９年１２月６日付けの手続補正についての補正却下の決定 
［補正却下の決定の結論］ 
　平成１９年１２月６日付けの手続補正を却下する。 
［理由］ 
（１）補正の内容 
　本件補正は、特許請求の範囲の請求項１について、
「【請求項１】　動物の脳内のＤＨＡ量を増加するための高級不飽和脂肪酸混合組成物であって、フラックスシード油を含み、動物に投与されるリノール脂肪酸［ｎ−６，１８：２］及びα−リノレン脂肪酸［ｎ−３，１８：３］の存在比が、リノール脂肪酸［ｎ−６，１８：２］／α−リノレン脂肪酸［ｎ−３，１８：３］＝２．０（重量比）となるよう調整するために用いられ、該組成物を投与される動物が妊娠動物および該妊娠動物から生まれた仔動物であって、上記脳内のＤＨＡ量が増加する動物が該妊娠動物から生まれた仔動物であり、０．１５ｇ〜０．３／ｋｇ体重／日の投与量で動物に投与される、高級不飽和脂肪酸混合組成物。」（平成１９年１０月１１日付けの手続補正により補正された特許請求の範囲の請求項１）
を
「【請求項１】　動物の脳内のＤＨＡ量を増加するための高級不飽和脂肪酸混合組成物であって、フラックスシード油を含み、リノール脂肪酸［ｎ−６，１８：２］及びα−リノレン脂肪酸［ｎ−３，１８：３］の存在比が、リノール脂肪酸［ｎ−６，１８：２］／α−リノレン脂肪酸［ｎ−３，１８：３］＝２．０（重量比）であり、該組成物を投与される動物が妊娠動物および該妊娠動物から生まれた仔動物であって、上記脳内のＤＨＡ量が増加する動物が該妊娠動物から生まれた仔動物であり、０．１５ｇ〜０．３／ｋｇ体重／日の投与量で動物に投与される、高級不飽和脂肪酸混合組成物。」
とする補正を含むものである。
　 
（２）判断　 
　この補正は、補正前の請求項１に記載されている、「高級不飽和脂肪酸混合組成物」の用途に関する「動物に投与されるリノール脂肪酸［ｎ−６，１８：２］及びα−リノレン脂肪酸［ｎ−３，１８：３］の存在比が、リノール脂肪酸［ｎ−６，１８：２］／α−リノレン脂肪酸［ｎ−３，１８：３］＝２．０（重量比）となるよう調整するために用いられ」という、出願人が特許を受けようとする発明を特定するために必要と認める事項（以下、発明特定事項という。）の削除を含むものである。
　したがって、この補正は、「高級不飽和脂肪酸混合組成物」の用途に関して、用途を限定するための発明特定事項を削除し、用途に関する限定をなくする補正であるから、平成１８年改正前特許法第１７条の２第４項第２号に掲げる特許請求の範囲の減縮を目的とするものではない。そして、この補正が、同項第１号、第３号ないし第４号に掲げる請求項の削除、誤記の訂正、明りょうでない記載の釈明を目的とするものではないことは明らかである。
　
（３）むすび 
　以上のとおり、本件補正は、平成１８年改正前特許法第１７条の２第４項の規定に違反するので、特許法第１５９条第１項において読み替えて準用する同法第５３条第１項の規定により却下されるべきものである。
　
３．本件出願について
（１）本願明細書
　平成１９年１２月６日付けの手続補正は上記のとおり却下された。したがって、本件出願の明細書は、平成１９年１０月１１日付けの手続補正により補正されたものであり、その特許請求の範囲の記載は、以下のとおりのものである。
「【請求項１】　動物の脳内のＤＨＡ量を増加するための高級不飽和脂肪酸混合組成物であって、フラックスシード油を含み、動物に投与されるリノール脂肪酸［ｎ−６，１８：２］及びα−リノレン脂肪酸［ｎ−３，１８：３］の存在比が、リノール脂肪酸［ｎ−６，１８：２］／α−リノレン脂肪酸［ｎ−３，１８：３］＝２．０（重量比）となるよう調整するために用いられ、該組成物を投与される動物が妊娠動物および該妊娠動物から生まれた仔動物であって、上記脳内のＤＨＡ量が増加する動物が該妊娠動物から生まれた仔動物であり、０．１５ｇ〜０．３／ｋｇ体重／日の投与量で動物に投与される、高級不飽和脂肪酸混合組成物。
　【請求項２】　レプシード油またはペリラ油をさらに含む、請求項１に記載の組成物。
　【請求項３】　少なくとも８週間の間前記仔動物に投与される、請求項１に記載の高級不飽和脂肪酸混合組成物。
　【請求項４】　妊娠第１日目から分娩の日まで前記妊娠動物に投与される、請求項１に記載の高級不飽和脂肪酸混合組成物。
　【請求項５】　請求項１に記載の高級不飽和脂肪酸混合組成物を含有する食品。
　【請求項６】　動物の脳内のＤＨＡ量を増加するための食品の製造における高級不飽和脂肪酸混合組成物の使用方法であって、該組成物を投与される動物が妊娠動物および該妊娠動物から生まれた仔動物であって、上記脳内のＤＨＡ量が増加する動物が該妊娠動物から生まれた仔動物であり、
　該組成物を、食品に添加する工程を包含し、
　ここで、該組成物が、フラックスシード油を含み、動物に投与されるリノール脂肪酸［ｎ−６，１８：２］及びα−リノレン脂肪酸［ｎ−３，１８：３］の存在比が、リノール脂肪酸［ｎ−６，１８：２］／α−リノレン脂肪酸［ｎ−３，１８：３］＝２．０（重量比）となるよう調整するために用いられ、０．１５ｇ〜０．３／ｋｇ体重／日の投与量で、動物に投与される、方法。」
　
（２）平成１９年１０月１１日付けの手続補正について
（ア）補正の内容
　平成１９年１０月１１日付けの手続補正は、特許請求の範囲の請求項１について、「動物の脳内のＤＨＡ量を増加するための高級不飽和脂肪酸混合組成物であって、フラックスシード油を含み、リノール脂肪酸［ｎ−６，１８：２］及びα−リノレン脂肪酸［ｎ−３，１８：３］の存在比が、リノール脂肪酸［ｎ−６，１８：２］／α−リノレン脂肪酸［ｎ−３，１８：３］＝０．０５〜２．０（重量比）となるように調整され、該組成物を投与される動物が妊娠動物であって、上記脳内のＤＨＡ量が増加する動物が該妊娠動物から生まれた動物である、０．１５ｇ〜０．３ｇ／ｋｇ体重／日の投与量で動物に投与される、高級不飽和脂肪酸混合組成物。」（平成１６年７月２８日付けの手続補正により補正された特許請求の範囲の請求項１）
を
「動物の脳内のＤＨＡ量を増加するための高級不飽和脂肪酸混合組成物であって、フラックスシード油を含み、動物に投与されるリノール脂肪酸［ｎ−６，１８：２］及びα−リノレン脂肪酸［ｎ−３，１８：３］の存在比が、リノール脂肪酸［ｎ−６，１８：２］／α−リノレン脂肪酸［ｎ−３，１８：３］＝２．０（重量比）となるよう調整するために用いられ、該組成物を投与される動物が妊娠動物および該妊娠動物から生まれた仔動物であって、上記脳内のＤＨＡ量が増加する動物が該妊娠動物から生まれた仔動物であり、０．１５ｇ〜０．３／ｋｇ体重／日の投与量で動物に投与される、高級不飽和脂肪酸混合組成物。」
とする補正を含むものである。
　
（イ）判断
　この補正により、請求項１に、「高級不飽和脂肪酸混合組成物」が、「動物に投与されるリノール脂肪酸［ｎ−６，１８：２］及びα−リノレン脂肪酸［ｎ−３，１８：３］の存在比が、リノール脂肪酸［ｎ−６，１８：２］／α−リノレン脂肪酸［ｎ−３，１８：３］＝２．０（重量比）となるよう調整するために用いられ」ることが新たに記載された。　
　一方、本願の願書に最初に添付した明細書の特許請求の範囲には、
「【請求項１】　リノール脂肪酸〔ｎ−６，１８：２〕及びα−リノレン脂肪酸〔ｎ−３，１８：３〕を含有し、これらの存在比が、リノール脂肪酸〔ｎ−６，１８：２〕／α−リノレン脂肪酸〔ｎ−３，１８：３〕＝０．０５〜７．５（重量比）である高級不飽和脂肪酸混合組成物。 
【請求項２】　上記リノール脂肪酸〔ｎ−６，１８：２〕及びα−リノレン脂肪酸〔ｎ−３，１８：３〕の存在比が、リノール脂肪酸〔ｎ−６，１８：２〕／α−リノレン脂肪酸〔ｎ−３，１８：３〕＝０．０５〜２．０（重量比）である請求項１に記載の高級不飽和脂肪酸混合組成物。
【請求項３】　請求項１又は２に記載の高級不飽和脂肪酸混合組成物を含有
する食品。」 
と記載されており、そして、その発明の詳細な説明には、 
「【０００９】 
【課題を解決するための手段】 上記の課題を解決するため、この発明は、リノール脂肪酸〔ｎ−６，１８：２〕及びα−リノレン脂肪酸〔ｎ−３，１８：３〕を含有する高級不飽和脂肪酸混合組成物であって、これらの存在比を、リノール脂肪酸〔ｎ−６，１８：２〕／α−リノレン脂肪酸〔ｎ−３，１８：３〕＝０．０５〜７．５（重量比）とすることを特徴とする。」 
 そして、 
「【００１５】この発明にかかる高級不飽和脂肪酸混合組成物は、それ自体を健康食品等の食品として使用することができる。また、この高級不飽和脂肪酸混合組成物を各種食品に添加又は混合して使用することができる。」 
と本願発明についての説明があり、実施例として 
「【００２０】
【実施例】〔高級不飽和脂肪酸混合組成物の製造〕フラックスシード（Flaxseed）、レプシード（Rapeseed）、ペリラ（Perilla ）油を挽き、脂肪酸分析を行ったものを混合し、リノール酸／α−リノレン酸混合比が、それぞれ、２、７．５、１０、１６となるように高級不飽和脂肪酸混合組成物を調整し、製造した。そして、これらのそれぞれををラットの基礎飼料に添加して実験に供与した。このとき、高級不飽和脂肪酸混合組成物は、基礎飼料に対して３〜５％の範囲で含ませた。
【００２１】〔実施例及び比較例〕高級不飽和脂肪酸混合組成物の投与量が０．１５ｇ（体重１ｋｇ当たり）となるように、毎日、上記の各基礎飼料を妊娠ラットに妊娠第１日目から分娩の日まで与え、その後は、生まれた仔ラットに８週齢になるまで与えた。その後、これらの仔ラットについて、脳内脂肪酸分析、学習力及び記憶保持能力試験を行った。」 
と記載されている。 
　そして、試験方法を記載した後に、
「【００２３】脳内脂肪酸分析の結果、すなわち、脳内のＤＨＡ濃度の変化を図１及び図２に示す。また、モリス　マゼ試験結果のうち、認識力（学習力）の結果を図３に、記憶力の結果を図４に示す。」と記載され、本願の願書に最初に添付した図面として、図１〜４が添付されている。
　
　すなわち、本願の願書に最初に添付した明細書又は図面には、「高級不飽和脂肪酸混合組成物」自体のリノール脂肪酸〔ｎ−６，１８：２〕及びα−リノレン脂肪酸〔ｎ−３，１８：３〕の存在比が、リノール脂肪酸〔ｎ−６，１８：２〕／α−リノレン脂肪酸〔ｎ−３，１８：３〕＝２．０（重量比）である「高級不飽和脂肪酸混合組成物」が記載されており、さらに、この「高級不飽和脂肪酸混合組成物」自体を食品とすること及び、この「高級不飽和脂肪酸混合組成物」を食品や飼料に添加又は混合することが記載されている。 
　しかしながら、「高級不飽和脂肪酸混合組成物」を、動物に投与されるリノール脂肪酸［ｎ−６，１８：２］及びα−リノレン脂肪酸［ｎ−３，１８：３］の存在比が、リノール脂肪酸［ｎ−６，１８：２］／α−リノレン脂肪酸［ｎ−３，１８：３］＝２．０（重量比）となるよう調整するために用いることは記載されていないし、記載されている事項から自明な事項ともいえない。 
　したがって、請求項１に「高級不飽和脂肪酸混合組成物」が、「動物に投与されるリノール脂肪酸［ｎ−６，１８：２］及びα−リノレン脂肪酸［ｎ−３，１８：３］の存在比が、リノール脂肪酸［ｎ−６，１８：２］／α−リノレン脂肪酸［ｎ−３，１８：３］＝２．０（重量比）となるよう調整するために用いられ」ることを新たに記載することを含む上記の補正は、願書に最初に添付した明細書又は図面に記載した事項の範囲内においてしたものとすることはできない。
　
（３）むすび
　以上のとおり、平成１９年１０月１１日付けでした手続補正は、特許法第１７条の２第３項に規定する要件を満たしていないので、本件出願は、特許法第４９条１号に該当し、拒絶すべき旨の査定をしなければならないものである。
　
　よって、結論のとおり審決する。